(57)【要約】【課題】ビスの種類に拘わらずビスの有無が確実に検出できる検出装置を提供する。【解決手段】組立体１１が確実にビス止めされていることを検出する装置であって、該装置は、先端にビス孔嵌合部５と、主軸７と、底部に位置検出部９を有するビス当接治具３と、ビス当接治具３を可動させるシリンダーと、前記位置検出部９の位置を検知することによって、該ビス当接治具３の位置を検出する位置検出手段とを有することを特徴とするビス止め検出装置１である。【選択図】図１
2005288617.tif 000002
【特許請求の範囲】
【請求項１】
組立体が確実にビス止めされていることを検出する装置であって、該装置は、先端にビス孔嵌合部と、主軸と、底部に位置検出部を有するビス当接治具と、ビス当接治具を可動させるシリンダーと、前記位置検知部の位置を検知することによって、該ビス当接治具の位置を検出する位置検出手段とを有することを特徴とするビス止め検出装置。
【請求項２】
前記位置検出手段が近接スイッチである請求項１に記載のビス止め検出装置。
【請求項３】
近接スイッチのＯＮ，ＯＦＦで組立体がビス止めされていることを検出する方法であって、シリンダーを用いて、先端にビス孔が嵌合部と、主軸と、底部に位置検出部を有するビス当接治具をビス側に移動させ、前記ビス孔嵌合部をビス孔に嵌合させたときに前記位置検出部が近接スイッチ近傍にないことを特徴とするビス止め検出方法。
【請求項４】
組立体がビス止めされていることを検出する方法であって、シリンダーを用いて、先端にビス孔嵌合部と、主軸と、底部に位置検出部を有するビス当接治具をビス側に移動させ、シリンダーのロッドエンドが近接スイッチ位置近傍で停止、又は近接スイッチを通過したときは、近接スイッチが働き、点灯することによりビス欠けが確認され、シリンダーのロッドエンドが近接スイッチより大きく組立体と反対側に外れて停止した場合は、近接スイッチが作動せず、ビス止めがされていることが確認できることを特徴とするビス止め検出方法。
【発明の詳細な説明】
【技術分野】
【０００１】
本発明は、組立体をビスにて係止する場合に、ビスにて確実に締められているかどうかを検知する検出装置及びそれを用いたビス止め検出方法に関するものである。
【背景技術】
【０００２】
従来の組立体をビスにて組み付ける方法で、ビスが確実に組付体を組みつけているかどうかに関しては、一般的には目視確認していたが、検査機としては、ビスの頭の突起高さを近接スイッチ付エアーシリンダーで確認するのが一般的であった。
【０００３】
又、ビスの頭の高さは、多用されるＭ４〜Ｍ５のものでは、３.２ｍｍ〜４.０ｍｍであり、図３のように近接スイッチの判定では精度的に信頼度が低く、近接スイッチの微細な調整が必要であった。更に、皿ビスを使用した場合、図４のようにビスの頭と組立体とが面一となり、ビスの頭の突起高さを検出できなかった。
【発明の開示】
【発明が解決しようとする課題】
【０００４】
本出願の課題は、従来の技術での課題は、なべ頭のビスの場合、検出精度が悪く、平頭のビスは検出不能であった点である。本発明の目的は、これら従来技術の課題を解決し、なべ頭であっても皿頭であっても、ビスの有無が確実に検出できる検出装置を提供することにある。
【課題を解決するための手段】
【０００５】
上記課題を解決する請求項１に係る発明は、組立体が確実にビス止めされていることを検出する装置であって、該装置は、先端にビス孔嵌合部と、主軸と、底部に位置検出部を有するビス当接治具と、ビス当接治具を可動させるシリンダーと、前記位置検知部の位置を検知することによって、該ビス当接治具の位置を検出する位置検出手段とを有することを特徴とするビス止め検出装置にある。
【０００６】
請求項２に記載の発明は、前記位置検出手段が近接スイッチである請求項１に記載のビス止め検出装置にある。
【０００７】
請求項３に記載の発明は、近接スイッチのＯＮ，ＯＦＦで組立体がビス止めされていることを検出する方法であって、シリンダーを用いて、先端にビス孔が嵌合部と、主軸と、底部に位置検出部を有するビス当接治具をビス側に移動させ、前記ビス孔嵌合部をビス孔に嵌合させたときに前記位置検出部が近接スイッチ近傍にないことを特徴とするビス止め検出方法にある。
【０００８】
請求項４に記載の発明は、組立体がビス止めされていることを検出する方法であって、シリンダーを用いて、先端にビス孔嵌合部と、主軸と、底部に位置検出部を有するビス当接治具をビス側に移動させ、シリンダーのロッドエンドが近接スイッチ位置近傍で停止、又は近傍スイッチを通過したときは、近接スイッチが働き、点灯することによりビス欠けが確認され、シリンダーのロッドエンドが近接スイッチより大きく組立体と反対側に外れて停止した場合は、近接スイッチが作動せず、ビス止めがされていることが確認できるビス止め検出方法にある。
【発明の効果】
【０００９】
請求項１に記載の発明は、組立体が確実にビス止めされていることを検出する装置であって、該装置は、先端にビス孔嵌合部と、主軸と、底部に位置検出部を有するビス当接治具と、ビス当接治具を可動させるシリンダーと、前記位置検知部の位置を検知することによって、該ビス当接治具の位置を検出する位置検出手段とを有するビス止め検出装置であることから、組立体にビスが入っていることを検出することができる効果が有る。
【００１０】
請求項２に記載の発明は、前記位置検出手段が近接スイッチである請求項１に記載のビス止め検出装置であることから、より組立体にビスが入っていることを確実に検出することができる。
【００１１】
請求項３に記載の発明は、近接スイッチのＯＮ，ＯＦＦで組立体がビス止めされていることを検出する方法であって、シリンダーを用いて、先端にビス孔が嵌合部と、主軸と、底部に位置検出部を有するビス当接治具をビス側に移動させ、前記ビス孔嵌合部をビス孔に嵌合させたときに前記位置検出部が近接スイッチ近傍にないビス止め検出方法であることから、組立体にビスが入っていることを検出する効果がある。
【００１２】
請求項４に記載の発明は、組立体がビス止めされていることを検出する方法であって、シリンダーを用いて、先端にビス孔嵌合部と、主軸と、底部に位置検出部を有するビス当接治具をビス側に移動させ、シリンダーのロッドエンドが近接スイッチ位置近傍で停止、又は近傍スイッチを通過したときは、近接スイッチが働き、点灯することによりビス欠けが確認され、シリンダーのロッドエンドが近接スイッチより大きく組立体と反対側に外れて停止した場合は、近接スイッチが作動せず、ビス止めがされていることが確認できるビス止め検出方法であることから、より確実に組立体にビスが入っていることを検出する効果がある。
【発明を実施するための最良の形態】
【００１３】
以下、図面を参照しつつ本発明の実施形態を説明する。図1は本発明に係るビス止め検出装置１を示した概略図である。図２は、ビス孔にビス当接治具３を嵌合させた状態を示した概略図である。図1において、ビス当接治具３は、ビス孔嵌合部５と、主軸７と、位置検出部９とからなり、図示しないシリンダー起動スイッチを押すと、シリンダーが起動し、ビス当接治具３が組立体１１に向かって移動する。そして、ビス孔嵌合部５がビス孔に嵌合しても、前記位置検出部９が近接スイッチ１３迄届かず、近接スイッチ１３が作動せず、近接スイッチ１３に繋がった電灯が点灯しない。
【００１４】
一方図２のように、組立体１１内にビス１５が存在しない場合は、前記位置検出部９が近接スイッチ１３近傍迄移動し又は近接スイッチ１３を通過することによって、近接スイッチ１３が作動し、点灯しビス１５が組立体１１内に存在しないことを表示する。
【図面の簡単な説明】
【００１５】
【図１】本発明に係るビス止め検出装置を示した概略図である。
【図２】組立体にビスが存在しない場合を示した概略図である。
【図３】従来のビス止め検出装置を示した概略図である。
【図４】皿ビスを組立体内に使用した概略図である。
【符号の説明】
【００１６】
１  ビス止め検出装置
３  ビス当接治具
５  ビス孔嵌合部
７  主軸
９  位置検出部
１１組立体
１３近接スイッチ
１５ビス
【図１】
2005288617.tif 000003
【図２】
2005288617.tif 000004
【図３】
2005288617.tif 000005
【図４】
2005288617.tif 000006